(57)【要約】【課題】電源電流による磁気飽和を抑制し、インピーダンス特性の低下を防止できるフェライトコア及びチョークを提供すること。【解決手段】軸方向が互いに平行な複数の貫通孔９、１１、１３、１５、１７を備え、前記複数の貫通孔９、１１、１３、１５、１７は、前記軸方向から見たとき、１の貫通孔９の周囲を他の貫通孔１１、１３、１５、１７が囲むように配置されていることを特徴とするフェライトコア１。また、上述したフェライトコア１と、前記複数の貫通孔９、１１、１３、１５、１７に順次挿通された１本のケーブル３１と、を備えるチョーク２９であって、前記ケーブル３１の経路は、前記貫通孔９、１１、１３、１５、１７を通って前記フェライトコア１の一方の側から他方の側へ向う経路Ｘと、前記フェライトコア１の外側を通って前記フェライトコア１の前記他方の側から前記一方の側へ戻る経路Ｙとを交互に繰り返す経路であることを特徴とするチョーク２９。【選択図】 図２
2012104555.tif 000002
【特許請求の範囲】
【請求項１】
軸方向が互いに平行な複数の貫通孔を備え、
前記複数の貫通孔は、前記軸方向から見たとき、１の貫通孔の周囲を他の貫通孔が囲むように配置されていることを特徴とするフェライトコア。
【請求項２】
前記他の貫通孔は、それぞれ、前記１の貫通孔の同心円軌道上に、等間隔で位置することを特徴とする請求項１記載のフェライトコア。
【請求項３】
前記他の貫通孔の数は、３、４、５のうちのいずれかであることを特徴とする請求項１又は２記載のフェライトコア。
【請求項４】
前記フェライトコアは、その側面のうち、隣接する前記他の貫通孔の間の部分に、前記軸方向に沿って延び、前記フェライトコアの内部に向けて入り込む谷部を有することを特徴とする請求項１〜３のいずれか１項に記載のフェライトコア。
【請求項５】
請求項１〜４のいずれか１項に記載のフェライトコアと、
前記複数の貫通孔に順次挿通された１本のケーブルと、
を備えるチョークであって、
前記ケーブルの経路は、前記貫通孔を通って前記フェライトコアの一方の側から他方の側へ向う経路Ｘと、前記フェライトコアの外側を通って前記フェライトコアの前記他方の側から前記一方の側へ戻る経路Ｙとを交互に繰り返す経路であることを特徴とするチョーク。
【発明の詳細な説明】
【技術分野】
【０００１】
本発明は、例えば、電子部品等のＥＭＣ対策（ノイズ対策）に用いられるフェライトコア及びチョークに関する。
【背景技術】
【０００２】
貫通孔を有するフェライトコアにケーブルを通し、ノイズ対策を行う技術が知られている（特許文献１〜３参照）。
【先行技術文献】
【特許文献】
【０００３】
【特許文献１】特開平７−２０１５７８号公報
【特許文献２】特開平４−１８４９０６号公報
【特許文献３】特開平５−１０１９４０号公報
【発明の概要】
【発明が解決しようとする課題】
【０００４】
フェライトコアを用いてノーマルモードノイズの対策を行う場合、フェライトコアが電源電流の磁束を取り込み、磁気飽和現象を起こすため、インピーダンス特性が低下してしまう。その結果、ノイズ対策が不十分となる。
【０００５】
本発明は以上の点に鑑みなされたものであり、電源電流による磁気飽和を抑制し、インピーダンス特性の低下を防止できるフェライトコア及びチョークを提供することを目的とする。
【課題を解決するための手段】
【０００６】
本発明のフェライトコアは、軸方向が互いに平行な複数の貫通孔を備え、前記複数の貫通孔は、前記軸方向から見たとき、１の貫通孔の周囲を他の貫通孔が囲むように配置されていることを特徴とする。
【０００７】
本発明のフェライトコアでは、ケーブルを図２に示す経路に従って配置することができる。この経路は、貫通孔のいずれかを通ってフェライトコアの一方の側から他方の側へ向う経路Ｘと、フェライトコアの外側を通って他方の側から一方の側へ戻る経路Ｙとを交互に繰り返す経路である。
【０００８】
この場合、複数の貫通孔において、その中を通るケーブルを流れる電流の向きは全て同じとなるので、ケーブルを流れる電流によってフェライトコア内で生じる磁束の向きは、図２において矢印で示すように、複数の貫通孔（９、１１、１３、１５、１７）それぞれの周りを、同方向に回る向きとなる。
【０００９】
本発明のフェライトコアでは、１の貫通孔（９）の周囲を他の貫通孔（１１、１３、１５、１７）が囲むように配置されているので、１の貫通孔（９）の周りを回る磁束は、その周囲にある他の貫通孔（１１、１３、１５、１７）の周りを回る磁束と打ち消し合い、結果として、１の貫通孔（９）を囲む範囲（図３に示す「磁束キャンセル範囲」）では、磁束がキャンセルされる。
【００１０】
よって、１の貫通孔（９）の周囲では磁束が飽和しにくいので、この１の貫通孔（９）にケーブルを挿通させることにより、ケーブルのインピーダンス特性が低下してしまうことを防止できる。
本発明のフェライトコアでは、前記他の貫通孔は、それぞれ、前記１の貫通孔の同心円軌道上に、等間隔で位置することが好ましい。この場合、１の貫通孔の周囲に対する、他の貫通孔の周りを回る磁束の影響が均等となり、１の貫通孔の周囲における磁束をキャンセルする効果が一層高い。
【００１１】
前記他の貫通孔の数としては、例えば、３、４、５のうちのいずれかが挙げられる。この数が３以上であることにより、１の貫通孔の周りを他の貫通孔で有効に囲めるので、１の貫通孔の周囲における磁束をキャンセルする効果が一層高い。
【００１２】
本発明のフェライトコアは、その側面のうち、隣接する前記他の貫通孔の間の部分に、前記軸方向に沿って延び、前記フェライトコアの内部に向けて入り込む谷部を有することが好ましい。この場合、谷部を備えない場合に比べて、フェライトコアを軽量化することができ、また、材料となるフェライトの量を節約できる。
【００１３】
また、谷部は、隣接する他の貫通孔の間に設けられているので、フェライトコアの特性を低下させてしまうことがない。なお、この理由は後述する。
また、谷部は、フェライトコアに取り付けるケーブルのうち、フェライトコアの外側を通る部分のガイドとなる。ケーブルを谷部に収めることにより、省スペース化を実現できる。
【００１４】
本発明のフェライトコアは、例えば、ノーマルモードノイズの対策に用いることができる。
本発明のチョークは、上述したフェライトコアと、前記複数の貫通孔に順次挿通された１本のケーブルとを備え、前記ケーブルの経路は、前記貫通孔を通って前記フェライトコアの一方の側から他方の側へ向う経路Ｘと、前記フェライトコアの外側を通って前記フェライトコアの前記他方の側から前記一方の側へ戻る経路Ｙとを交互に繰り返す経路であることを特徴とする。
【００１５】
本発明のチョークでは、フェライトコアの複数の貫通孔において、ケーブルを流れる電流の向きは全て同じとなるので、ケーブルを流れる電流によってフェライトコア内で生じる磁束の向きは、図２において矢印で示すように、複数の貫通孔（９、１１、１３、１５、１７）それぞれの周りを、同方向に回る向きとなる。
【００１６】
フェライトコアでは、１の貫通孔（９）の周囲を他の貫通孔（１１、１３、１５、１７）が囲むように配置されているので、１の貫通孔（９）の周りを回る磁束は、その周囲にある他の貫通孔（１１、１３、１５、１７）の周りを回る磁束と打ち消し合い、結果として、フェライトコアのうち、１の貫通孔（９）を囲む範囲（図３に示す「磁束キャンセル範囲」）では、磁束がキャンセルされる。
【００１７】
よって、１の貫通孔（９）の周囲では磁束が飽和しにくいので、チョークにおけるインピーダンス特性の低下を防止できる。
本発明のチョークは、例えば、ノーマルモードノイズの対策に用いることができる。
【図面の簡単な説明】
【００１８】
【図１】貫通孔の数が５であるフェライトコア１の構成を表す斜視図である。
【図２】チョーク２９の構成を表す斜視図である。
【図３】フェライトコア１が奏する作用効果を表す説明図である。
【図４】貫通孔の数が４であるフェライトコア１の構成を表す斜視図である。
【図５】貫通孔の数が６であるフェライトコア１の構成を表す斜視図である。
【発明を実施するための形態】
【００１９】
本発明の実施形態を図面に基づいて説明する。
（第１の実施形態）
１．フェライトコア１の構成
フェライトコア１は、図１に示すように、平坦な端面３（図１において手前側）、端面３と平行であり、平坦な端面５（図１において奥側）、曲面で形成された側面７、端面３から端面５まで貫通した５本の貫通孔９、１１、１３、１５、１７を備えている。
【００２０】
貫通孔９、１１、１３、１５、１７は、それぞれ、真っ直ぐな孔であり、それらの軸方向は、端面３、５に直交し、側面７と平行である。また、貫通孔９、１１、１３、１５、１７の断面形状はそれぞれ円形であり、それらの直径は同一である。
【００２１】
貫通孔９、１１、１３、１５、１７は、その軸方向から見たとき、貫通孔９の周囲を貫通孔１１、１３、１５、１７が囲むように配置されている。また、貫通孔１１、１３、１５、１７は、それぞれ、貫通孔９の同心円１９の軌道上に、等間隔で（貫通孔１１、１３、１５、１７相互間の距離が均等であるように）位置している。
【００２２】
フェライトコア１の側面７には、４箇所の谷部２１、２３、２５、２７が形成されている。谷部２１、２３、２５、２７はそれぞれ、貫通孔９、１１、１３、１５、１７の軸方向に沿って伸び、端面３から端面５まで至っている。また、谷部２１、２３、２５、２７はそれぞれ、フェライトコア１の内部に向けて入り込む形状を有している。谷部２１の位置は、隣接する貫通孔１１、１３の間であり、谷部２３の位置は、隣接する貫通孔１３、１５の間であり、谷部２５の位置は、隣接する貫通孔１５、１７の間であり、谷部２７の位置は、隣接する貫通孔１７、１１の間である。谷部２１、２３、２５、２７が形成されていることにより、貫通孔１１、１３、１５、１７の周囲におけるフェライトコア１の肉厚は、貫通孔９に面する側を除き、均一になっている。
【００２３】
フェライトコア１の材質は、公知のフェライトである。フェライトコア１は、公知の成形方法により、上述した形状に成形できる。
２．チョーク２９の構成
チョーク２９の構成を図２に基づいて説明する。チョーク２９は、上述したフェライトコア１と、１本のケーブル３１とから成る。ケーブル３１は、貫通孔９、１１、１３、１５、１７に順次挿通されている。ケーブル３１の経路は、以下のとおりである。
【００２４】
フェライトコア１の一方の側（図２における手前側、以下ではＦ側とする）にある位置（１）から、貫通孔１１を通り、フェライトコア１の反対の側（図２における奥側、以下ではＢ側とする）にある位置（２）に至る。
【００２５】
次に、フェライトコア１の外側を通り、Ｆ側の位置（３）に戻る。
次に、貫通孔１３を通り、Ｂ側の位置（４）に至る。
次に、フェライトコア１の外側を通り、Ｆ側の位置（５）に戻る。
【００２６】
次に、貫通孔１５を通り、Ｂ側の位置（６）に至る。
次に、フェライトコア１の外側を通り、Ｆ側の位置（７）に戻る。
次に、貫通孔１７を通り、Ｂ側の位置（８）に至る。
【００２７】
次に、フェライトコア１の外側を通り、Ｆ側の位置（９）に戻る。
次に、貫通孔９を通り、Ｂ側の位置（１０）に至る。
すなわち、ケーブル３１の経路は、貫通孔９、１１、１３、１５、１７のいずれかを通ってフェライトコア１のＦ側からＢ側へ向う経路Ｘと、フェライトコア１の外側を通ってＢ側からＦ側へ戻る経路Ｙとを交互に繰り返す経路である。
【００２８】
３．フェライトコア１及びチョーク２９が奏する効果
（１）フェライトコア１に対し、ケーブル３１を上述した経路に沿って配置した場合、貫通孔９、１１、１３、１５、１７において、ケーブル３１を流れる電流の向きは全て同じとなるので、ケーブル３１を流れる電流によってフェライトコア１内で生じる磁束の向きは、図２において矢印で示すように、貫通孔９、１１、１３、１５、１７それぞれの周りを、同方向に回る向きとなる。
【００２９】
フェライトコア１では、貫通孔９の周囲を貫通孔１１、１３、１５、１７が囲むように配置されているので、貫通孔９の周りを回る磁束は、その周囲の貫通孔１１、１３、１５、１７の周りを回る磁束と打ち消し合い、結果として、フェライトコア１のうち、貫通孔９を囲む範囲（図３に示す「磁束キャンセル範囲」）では、磁束がキャンセルされる。
【００３０】
よって、貫通孔９の周囲では磁束が飽和しにくいので、この貫通孔９にケーブル３１を挿通させることにより、ケーブル３１のインピーダンス特性が低下してしまうことを防止できる。
（２）フェライトコア１において、貫通孔１１、１３、１５、１７は、それぞれ、貫通孔９の同心円１９の軌道上に、等間隔で位置している。そのため、貫通孔９の周囲に対する、貫通孔１１、１３、１５、１７の周りを回る磁束の影響が均等となり、貫通孔９の周囲における磁束をキャンセルする効果が一層高い。
（３）フェライトコア１は、その側面７に、谷部２１、２３、２５、２７を備えている。そのため、谷部２１、２３、２５、２７を備えない場合に比べて、フェライトコア１を軽量化することができ、また、材料となるフェライトの量を節約できる。
【００３１】
また、谷部２１、２３、２５、２７は、隣接する貫通孔１１、１３、１５、１７の間に設けられているので、フェライトコア１の特性を低下させてしまうことがない。
すなわち、貫通孔１１、１３、１５、１７を通るケーブル３１から発生する磁束は、貫通孔１１、１３、１５、１７の同心円を描き、フェライトコア１内に取り込まれるが、谷部２１、２３、２５、２７は、隣接する貫通孔１１、１３、１５、１７の間に設けられており、ケーブル３１から発生する磁束を取り込む部分（フェライトコア１のうち、貫通孔１１、１３、１５、１７の同心円にあたる部分）は残っているので、フェライトコア１の特性は低下しない。
【００３２】
また、谷部２１、２３、２５、２７は、ケーブル３１のうち、フェライトコア１の外側を通る部分のガイドとなる。ケーブル３１を谷部２１、２３、２５、２７に収めることにより、チョーク２９の省スペース化を実現することができる。
（第２の実施形態）
１．フェライトコア１の構成
フェライトコア１は、図４に示すように、平坦な端面３（図４において手前側）、端面３と平行であり、平坦な端面５（図４において奥側）、曲面で形成された側面７、端面３から端面５まで貫通した４本の貫通孔９、１１、１３、１５とを備えている。
【００３３】
貫通孔９、１１、１３、１５は、それぞれ、真っ直ぐな孔であり、それらの軸方向は、端面３、５に直交し、側面７と平行である。また、貫通孔９、１１、１３、１５の断面形状はそれぞれ円形であり、それらの直径は同一である。
【００３４】
貫通孔９、１１、１３、１５は、その軸方向から見たとき、貫通孔９の周囲を貫通孔１１、１３、１５が囲むように配置されている。また、貫通孔１１、１３、１５は、それぞれ、貫通孔９の同心円１９の軌道上に、等間隔で（貫通孔１１、１３、１５相互間の距離が均等であるように）位置している。
【００３５】
フェライトコアの側面７には、３箇所の谷部２１、２３、２５が形成されている。谷部２１、２３、２５はそれぞれ、貫通孔９、１１、１３、１５の軸方向に沿って伸び、端面３から端面５まで至っている。また、谷部２１、２３、２５はそれぞれ、フェライトコア１の内部に向けて入り込む形状を有している。谷部２１の位置は、隣接する貫通孔１１、１３の間であり、谷部２３の位置は、隣接する貫通孔１３、１５の間であり、谷部２５の位置は、隣接する貫通孔１５、１１の間である。谷部２１、２３、２５が形成されていることにより、貫通孔１１、１３、１５の周囲におけるフェライトコア１の肉厚は、貫通孔９に面する側を除き、均一になっている。
【００３６】
フェライトコア１の材質は、公知のフェライトである。フェライトコア１は、公知の成形方法により、上述した形状に成形できる。
２．チョークの構成
上述したフェライトコア１と、１本のケーブルとを用いてチョークを構成することができる。ケーブルの配置は、前記第１の実施形態と同様とすることができる。
【００３７】
３．フェライトコア１及びチョークが奏する効果
本実施形態のフェライトコア１及びそれを用いて構成したチョークは、前記第１の実施形態と略同様の効果を奏することができる。
（第３の実施形態）
１．フェライトコア１の構成
フェライトコア１は、図５に示すように、平坦な端面３（図５において手前側）、端面３と平行であり、平坦な端面５（図５において奥側）、曲面で形成された側面７、端面３から端面５まで貫通した６本の貫通孔９、１１、１３、１５、１７、１８とを備えている。
【００３８】
貫通孔９、１１、１３、１５、１７、１８は、それぞれ、真っ直ぐな孔であり、それらの軸方向は、端面３、５に直交し、側面７と平行である。また、貫通孔９、１１、１３、１５、１７、１８の断面形状はそれぞれ円形であり、それらの直径は同一である。
【００３９】
貫通孔９、１１、１３、１５、１７、１８は、その軸方向から見たとき、貫通孔９の周囲を貫通孔１１、１３、１５、１７、１８が囲むように配置されている。また、貫通孔１１、１３、１５、１７、１８は、それぞれ、貫通孔９の同心円１９の軌道上に、等間隔で（貫通孔１１、１３、１５、１７、１８相互間の距離が均等であるように）位置している。
【００４０】
フェライトコアの側面７には、５箇所の谷部２１、２３、２５、２７、２８が形成されている。谷部２１、２３、２５、２７、２８はそれぞれ、貫通孔９、１１、１３、１５、１７、１８の軸方向に沿って伸び、端面３から端面５まで至っている。また、谷部２１、２３、２５、２７、２８はそれぞれ、フェライトコア１の内部に向けて入り込む形状を有している。谷部２１の位置は、隣接する貫通孔１１、１３の間であり、谷部２３の位置は、隣接する貫通孔１３、１５の間であり、谷部２５の位置は、隣接する貫通孔１５、１７の間であり、谷部２７の位置は、隣接する貫通孔１７、１８の間であり、谷部２８の位置は、隣接する貫通孔１８、１１の間である。谷部２１、２３、２５、２７、２８が形成されていることにより、貫通孔１１、１３、１５、１７、１８の周囲におけるフェライトコア１の肉厚は、貫通孔９に面する側を除き、均一になっている。
【００４１】
フェライトコア１の材質は、公知のフェライトである。フェライトコア１は、公知の成形方法により、上述した形状に成形できる。
２．チョークの構成
上述したフェライトコア１と、１本のケーブルとを用いてチョークを構成することができる。ケーブルの配置は、前記第１の実施形態と同様とすることができる。
【００４２】
３．フェライトコア１及びチョークが奏する効果
本実施形態のフェライトコア１及びそれを用いて構成したチョークは、前記第１の実施形態と略同様の効果を奏することができる。
【００４３】
尚、本発明は前記実施の形態になんら限定されるものではなく、本発明を逸脱しない範囲において種々の態様で実施しうることはいうまでもない。
例えば、フェライト１が備える貫通孔の数は、４、５、６には限定されず、他の数（例えば、７、８、９、１０、１１、１２・・・・）であってもよい。
【００４４】
また、貫通孔の断面形状は円形には限定されず、任意の形状（例えば楕円、多角形）であってもよい。
また、貫通孔の大きさは、１つのフェライトコア１の中で同一でなくてもよい。
【００４５】
また、フェライトコア１の外周形状は、谷部を備えない形状（例えば円形、楕円形、多角形）であってもよい。
【符号の説明】
【００４６】
１・・・フェライトコア、３、５・・・端面、７・・・側面、
９、１１、１３、１５、１７、１８・・・貫通孔、１９・・・同心円、
２１、２３、２５、２７、２８・・・谷部、２９・・・チョーク、３１・・・ケーブル
【図１】
2012104555.tif 000003
【図２】
2012104555.tif 000004
【図３】
2012104555.tif 000005
【図４】
2012104555.tif 000006
【図５】
2012104555.tif 000007